(57)【要約】【課題】電磁誘導加熱装置を設けた場合に、使い勝手も良く便利で、安価な配膳車を提供すること。【解決手段】食器の裏面には磁性体が蒸着又は転写してあるので、高さが比較的低い小型の温・冷配膳車１の本体２の天面２Ａに埋設された電磁誘導加熱装置２３上にトレー２０から取り出した前記食器を載置して、操作パネル３５の所定の操作を行うと電磁誘導加熱装置２３の加熱コイルの加熱コイルに高周波電流が流れて、前記磁性体が発熱することにより、食器内の食品が加熱されることとなる。【選択図】図４
2009213591.tif 000002
【特許請求の範囲】
【請求項１】
食器を載せるトレー又はパンを載せるための複数の載置部を備えた収納室が形成され少なくとも一側面にトレー出し入れ用扉を有する箱状の本体と、この本体の下部に取り付けられた走行用車輪とを備えた配膳車において、前記本体の上面に電磁誘導加熱装置を配設したことを特徴とする配膳車。
【請求項２】
食器を載せるトレー又はパンを載せるための複数の載置部を備えた収納室が形成され少なくとも一側面にトレー出し入れ用扉を有する箱状の本体と、この本体の下部に取り付けられた走行用車輪とを備えた配膳車において、冷凍サイクルユニットの運転による冷気を前記収納室内に供給可能とすると共に前記本体の上面に電磁誘導加熱装置を配設したことを特徴とする配膳車。
【発明の詳細な説明】
【技術分野】
【０００１】
本発明は、食器を載せるトレー又はパンを載せるための複数の載置部を備えた収納室が形成され少なくとも一側面にトレー出し入れ用扉を有する箱状の本体と、この本体の下部に取り付けられた走行用車輪とを備えた配膳車に関するものである。
【背景技術】
【０００２】
この種の配膳車は、特許文献１などに開示されている。そして、この特許文献１によれば、電磁誘導加熱装置が収納室内に配設される載置棚に設けられている。
【特許文献１】特開２００７−２３６８６１号公報
【発明の開示】
【発明が解決しようとする課題】
【０００３】
しかしながら、載置棚毎に電磁誘導加熱装置を設けるのでは、甚だ高価なものとなり、また使い勝手の良いものではなかった。
【０００４】
そこで本発明は、電磁誘導加熱装置を設けた場合に、使い勝手も良く便利で、安価な配膳車を提供することを目的とする。
【課題を解決するための手段】
【０００５】
このため第１の発明は、食器を載せるトレー又はパンを載せるための複数の載置部を備えた収納室が形成され少なくとも一側面にトレー出し入れ用扉を有する箱状の本体と、この本体の下部に取り付けられた走行用車輪とを備えた配膳車において、前記本体の上面に電磁誘導加熱装置を配設したことを特徴とする。
【０００６】
また第２の発明において、食器を載せるトレー又はパンを載せるための複数の載置部を備えた収納室が形成され少なくとも一側面にトレー出し入れ用扉を有する箱状の本体と、この本体の下部に取り付けられた走行用車輪とを備えた配膳車において、冷凍サイクルユニットの運転による冷気を前記収納室内に供給可能とすると共に前記本体の上面に電磁誘導加熱装置を配設したことを特徴とする。
【発明の効果】
【０００７】
本発明によれば、電磁誘導加熱装置を設けた場合に、使い勝手も良く便利で、安価な配膳車を提供することができる。
【発明を実施するための最良の形態】
【０００８】
以下図１乃至図５に基づき、本発明の実施の形態について説明する。図１は高さが比較的低い小型の温・冷配膳車１の外観を示す斜視図であり、この温・冷配膳車１は断熱箱体である本体２下部に移動可能とするための走行用車輪であるキャスタ３を備えた台車４が取り付けられている。
【０００９】
そして、前記本体２内は、垂直方向に延びた中仕切部材５により大きく左右に分けられ、左側に冷蔵室６が、右側に温蔵室７が形成される。この冷蔵室６及び温蔵室７の少なくとも一側面、本実施形態では対向する幅広の二側面（前面及び後面）が開放されており、それぞれ冷蔵室扉８及び温蔵室扉９がその外側の上下のヒンジ１１、１２により回動可能に支持されて開閉可能に設けられる。
【００１０】
また、左側の前記冷蔵室６の下部の第１冷凍サイクル機械室１５には冷凍サイクルユニットを構成する冷媒を圧縮する圧縮機や圧縮された冷媒を凝縮する凝縮器などが配設され、前記冷蔵室６の左部の第２冷凍サイクル機械室１６には冷媒を蒸発させて冷気を生成する蒸発器（冷却器）及び送風機などが配設されている。
【００１１】
そして、前記第２冷凍サイクル機械室１６と冷蔵室６とを区画する区画壁１８には複数の冷気吹出口が、前記中仕切部材５の左部には複数の冷気吸込口が開設され、前記蒸発器で発生した冷気を送風機が前記冷気吹出口を介して冷蔵室内に供給し、熱交換された冷気を前記冷気吸込口を介して第２冷凍サイクル機械室１６内に回収して循環するように構成されている。
【００１２】
また、前記区画壁１８の右側面及び前記中仕切部材５の左側面には、上下方向の取り付け位置が変更可能な複数の支持部材１９が取り付けられ、対向する支持部材１９上に食器などを載置する耐熱性を有する合成樹脂製のトレー（お盆）２０が水平に載置されて支持される。一方、温蔵室７を形成する右側壁２１と前記中仕切部材５の右側壁５Ａは表面はステンレス製で内部に断熱材と面状のヒータが内蔵された壁体で構成されると共に上下方向の取り付け位置が変更可能な複数の支持部材２２が取り付けられ、対向する支持部材２２上に前記トレー２０が水平に載置されて支持される。
【００１３】
前記トレー２０は食器に盛られた食事を入院患者や被介護者等へ提供できるようにしたものであり、前記食器の裏面には磁性体、例えば銀ペーストが蒸着又は転写してあるので、前記本体２のステンレス製の天面２Ａには上面が天面２Ａと同じ面一となるように電磁誘導加熱装置２３が埋設されている。従って、この食器を電磁誘導加熱装置２３上に載置して、所定の操作を行うと電磁誘導加熱装置２３の加熱コイルの加熱コイルに高周波電流が流れて、前記磁性体が発熱することにより、食器内の食品が加熱されることとなる。前記本体２の天面２Ａはステンレス製で、天面２Ａと電磁誘導加熱装置２３の上面とおなじ高さレベルで段差もなく、清掃もし易く、使い勝手が良好である。
【００１４】
なお、前記トレー２０に代えて、調理済み食品を直接盛ったり、食品を盛った前述の食器を載せることができるパン（例えば、ホテルパン）を使用してもよく、このパンは箱状を呈した金属製（例えば、ステンレス製）の平皿である。
【００１５】
２５はペダルを押し下げるだけで前記温・冷配膳車１の位置の固定が可能なペダルストッパー、２６は前記本体２の天面２Ａに設けられ配膳作業者が手で温・冷配膳車１を移動させる際に用いるハンドル、２７は前記温・冷配膳車１の温蔵・冷蔵のための操作パネルである。
【００１６】
前記温蔵・冷蔵のための操作パネル２７について説明すると、３０は前記パネルヒータにより温蔵室７を加温するために操作する加温スイッチ、３１は温蔵室７の室内温度を表示する温蔵室内温度表示部、３２は前記冷蔵室６を冷却するために操作する冷却スイッチ、３３は冷蔵室６の室内温度を表示する冷蔵室内温度表示部、３４は温蔵及び冷蔵運転か電磁誘導加熱装置２３による加熱運転かに切換える切換え操作スイッチである。
【００１７】
次に、前記電磁誘導加熱装置２３により食品を加熱するための操作パネル３５について説明する。先ず、３６は電源入／切スイッチ、３７は液晶で構成された表示部、３８は煮物コース、揚げ物コースとかのコースを選択するときに操作する操作スイッチ、３９は前記表示部３７に表示されたものを選択する際に左右のいずれかを操作する選択スイッチ、４０は加熱時間を設定するためのもので押圧毎に１時間又は１分歩進する時間スイッチ、４１は各設定の決定をするときやこの決定後に加熱開始させるときに操作する決定・スタートスイッチである。
【００１８】
なお、前記本体２の天面２Ａの左右部には、折り畳み式のサイドテーブル４２、４３が設けられており、図１では左のサイドテーブル４２が展開しており、右のサイドテーブル４３は折り畳まれている状態である。
【００１９】
次に、以上のように構成されているので、電源が供給されている状態において、切換え操作スイッチ３４を温蔵及び冷蔵運転に切換えると、温蔵室７はパネルヒータにより温められ、冷蔵室７は冷凍サイクルユニットにより冷却される。従って、温蔵室７内のトレー２０上の食器内の食品は温められ、冷蔵室６内のトレー２０上の食器内の食品は冷却されることとなる。
【００２０】
そして、この温蔵及び冷蔵を開始してから約２０分程度経過したら、コンセントから電源コードを抜いて、管理者がトレー２０上の保温又は保冷された食事が収納された温・冷配膳車１をハンドル２６を持って押しながら、例えば、介護を受けている者の部屋の前等に移動させ、ペダルストッパー２５を操作して前記温・冷配膳車１の位置を固定し、冷蔵室扉８や温蔵室扉９を開くことによりトレー２０を引き出して利用に供することができる。
【００２１】
なお、コンセントから電源コードを抜いて移動させる前に、前記トレー２０から取り出した食器上の食品を本体２の天面２Ａに埋設された電磁誘導加熱装置２３で再加熱する場合の前記操作パネル３５の操作について説明する。なお、コンセントから電源コードを抜いて所定の場所まで移動した後、再度電源接続して、電磁誘導加熱装置２３で再加熱してもよい。
【００２２】
先ず、切換え操作スイッチ３４を温蔵及び冷蔵運転から電磁誘導加熱装置２３による加熱運転に切換える。そして、前記操作パネル３５の電源入／切スイッチ３６を押圧操作して電源を投入すると、表示部３７に火力と加熱時間が表示されるので、選択スイッチ３９を操作して火力を表示された「保温」、「弱」、「中」、「強」のいずれかを選択すると共に時間スイッチ４０を押圧操作して加熱時間を設定する。これらの設定後に、電磁誘導加熱装置２３の加熱コイル上にトレー２０から取り出した前記食器を載置して、決定・スタートスイッチ４１を１回押圧すると設定内容が確定し、２回目を押圧すると加熱運転が開始され、所望の加熱を行うことができることとなる。この運転が開始されると、時間経過に伴い、設定された加熱時間が減算されつつ表示され、やがて残り時間が「０」となれば、加熱は停止することとなる。
【００２３】
また、切換え操作スイッチ３４を温蔵及び冷蔵運転から電磁誘導加熱装置２３による加熱運転に切換えて、前記操作パネル３５の電源入／切スイッチ３６を押圧操作して電源を投入した後に、操作スイッチ３８を押圧操作すると表示部３７にコース名が表示されるので、表示された「煮物コース」、「揚げ物コース」、「炒め物コース」、「汁物コース」のいずれかを選択スイッチ３９を操作して選択し、この選択設定後に、電磁誘導加熱装置２３の加熱コイル上に食器を載置して、前述したように、２回押圧すると加熱運転が開始され、所望の加熱を行うことができることとなる。
【００２４】
そして、前記食器の裏面には磁性体が蒸着又は転写してあるので、前述したように、高さが比較的低い小型の温・冷配膳車１の天面２Ａに埋設された電磁誘導加熱装置２３上にこの食器を載置して、所定の操作を行うと電磁誘導加熱装置２３の加熱コイルの加熱コイルに高周波電流が流れて、前記磁性体が発熱することにより、食器内の食品が加熱されることとなる。
【００２５】
以上のように、本発明は、電磁誘導加熱装置２３を設けた場合に、使い勝手も良く便利で、安価な温・冷配膳車１を提供することができる。
【００２６】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００２７】
【図１】温・冷配膳車の正面図である。
【図２】温・冷配膳車の冷蔵室扉及び温蔵室扉を外した状態の正面図である。
【図３】温・冷配膳車の右側面図である。
【図４】温・冷配膳車の平面図である。
【図５】電磁誘導加熱装置の平面図である。
【符号の説明】
【００２８】
１          温・冷配膳車
２          本体
２Ａ        天面
３          キャスタ
６          冷蔵室
７          温蔵室
１５        第１冷凍サイクル機械室
１６        第２冷凍サイクル機械室
２０        トレー
２３        電磁誘導加熱装置
３５        操作パネル
【図１】
2009213591.tif 000003
【図２】
2009213591.tif 000004
【図３】
2009213591.tif 000005
【図４】
2009213591.tif 000006
【図５】
2009213591.tif 000007